(57)【要約】      （修正有）【課題】シールエンド型の蓋部を１アクションで容易に開封又は解体することができる包装箱を提供する。【解決手段】角筒状の胴部１２とその開口を塞ぐ蓋部１４とを備える。箱体形成片から成り、組み立て状態で、蓋部である蓋片３８の基端部は、第一側面板に連続し、蓋片３８の先端部は、外板４２及び内板２４が重なった側面に連続する。外板４２は、蓋片３８に連続した開封部４６と、蓋片とは不連続で、内板２４の外面に糊付けされた糊付け部４８を備える。開封部４６は、蓋片側が幅広で反対側が幅狭な等脚台形状で、幅狭な端部が糊付け部４８の方向に膨出した形状になるように、開封用破断線５０によって糊付け部と区切られる。この膨出した部分の内側に、開封時に指を当てる指掛け部５２が設けられ、指に対する滑り止め用の凹凸である切り込み線５２ａが設けられる。【選択図】図１
0003206273.tif 000002
【実用新案登録請求の範囲】
【請求項１】
複数の側面を有した角筒状の胴部と、前記胴部の開口を塞ぐ蓋部とを備えた包装箱において、
一枚の箱体形成片から成り、組み立て状態で、前記蓋部の基端部は、前記複数の側面の中の１つである第一の側面に連続し、前記蓋部の先端部は、前記複数の側面の中の１つであって、前記第一の側面に対向する第二の側面に連続し、
前記第二の側面は、外板と内板とが重なって形成され、前記外板は、前記蓋部に連続した開封部と、前記内板の外面に糊付けされた糊付け部とを有し、前記開封部は開封用破断線によって前記糊付け部と区切られ、前記開封部には、開封時に使用者が指を当てる指掛け部が設けられ、前記指掛け部には、使用者の指に対する滑り止め用の凹凸が設けられ、
使用者が、前記指掛け部に当てた指を前記蓋部の方向に移動させる操作を行うと、前記開封部が前記内板の外面に沿って面方向に摺動して前記開封用破断線が破断し、前記蓋部が開封されることを特徴とする包装箱。
【請求項２】
前記指掛け部の前記滑り止め用の凹凸は、透孔又は切り込み線により設けられている請求項1記載の包装箱。
【請求項３】
前記開封用破断線は、前記蓋片に連続する側の端部が幅広で反対側の端部が幅狭な等脚台形状で、当該幅狭な端部が前記糊付け部の方向に膨出した形状に設けられ、前記糊付け部の方向に膨出した部分の内側に前記滑り止め用の凹凸が設けられている請求項1又は２記載の包装箱。
【請求項４】
前記箱体形成片は、互いに平行に連接され、組み立て状態で前記胴部を形成する複数の側面板を有し、前記複数の側面板の中の１つである第一側面板の、連接方向に対して直角方向の端部に、蓋片が延設され、前記蓋片の延出方向の端部に前記外板が延設され、
組み立て状態で、前記蓋片が前記蓋部となり、前記第一側面板が前記第一の側面となり、前記複数の側面板の中の一側面板が前記内板となり、当該内板となる一側面板の外面に前記外板が重なって前記第二の側面が形成される請求項１、２又は３記載の包装箱。
【請求項５】
前記箱体形成片は、互いに平行に連接され、組み立て状態で前記胴部を形成する複数の側面板を有し、前記複数の側面板の中の１つである第一側面板の、連接方向に対して直角方向の端部に、第一蓋片が延設され、前記複数の側面板の中の一側面板の、連接方向に対して直角方向の端部に、第二蓋片が延設され、前記複数の側面板の連接方向の端部に、前記内板が延設され、
組み立て状態で、前記第一蓋片及び第二蓋片が重なって互いに糊付けされて前記蓋部となり、前記第一側面板が前記第一の側面となり、前記第二蓋片が延設された一側面板が前記外板となり、当該第二側面板の内面に前記内板が重なって前記第二の側面が形成される請求項１、２又は３記載の包装箱。
【考案の詳細な説明】
【技術分野】
【０００１】
本考案は、シールエンド方式の蓋部を有した包装箱に関する。
【背景技術】
【０００２】
従来、例えば特許文献1に開示されているように、底板、前板、後板、及び２つの側板から成る箱本体と、前記後板の端部に延設され箱本体に対して開閉可能な蓋板と、蓋板の先端に延設され、前板に重ねて糊付けされる蓋板舌片とを備えたシールエンド方式の包装箱があった。蓋板舌片には、後板に連続する開封部と、前板に糊付けされる舌片糊付け部と、開封部の舌片糊付け部側に端部に設けられた引き代と、引き代の基端から蓋板舌片の両側端までを結ぶように設けられた破断線であって、引き代が引かれた時、開封部が舌片糊付け部から分離されるように破断誘導する一対の列開部とが設けられている。引き代は、開封時に、指で摘まんで引く部分で、蓋板舌片の略Ｕ字状の切り込み部に囲まれた部分により形成されている。
【先行技術文献】
【特許文献】
【０００３】
【特許文献１】特開２００７−１５３４４４号公報
【考案の概要】
【考案が解決しようとする課題】
【０００４】
特許文献１の包装箱は、開封時、切り込み部に囲まれた部分を、略Ｕ字状の切り込み部の中から引っ張り出し、さらに指で摘まんで引くという面倒な操作が必要なので、高齢者や子供やにとって簡単ではない。また、切り込み部の近傍に所定の引き代切り欠き部を設け、切り込み部に囲まれた部分を引っ張り出しやすくしているが、引き代自体が小さく、未だ操作しにくいものである。
【０００５】
また、一対の列開部は、開封部が舌片糊付け部から分離されるように破断誘導するため、略円弧状に形成されている。つまり、引き代が引かれた時、一対の列開部は、引き代部分から順に破断が進行するので、途中で破断方向が変わったりして、引き代がちぎれたり、不必要な部分の破断を生じさせたりする場合もある。
【０００６】
本考案は、上記背景技術に鑑みて成されたものであり、シールエンド方式の蓋部を１アクションで簡単に開封することができる包装箱を提供することを目的とする。
【課題を解決するための手段】
【０００７】
本考案は、複数の側面を有した角筒状の胴部と、前記胴部の開口を塞ぐ蓋部とを備えた包装箱であって、一枚の箱体形成片から成り、組み立て状態で、前記蓋部の基端部は、前記複数の側面の中の１つである第一の側面に連続し、前記蓋部の先端部は、前記複数の側面の中の１つであって前記第一の側面に対向する第二の側面に連続し、前記第二の側面は、外板と内板とが重なって形成され、前記外板は、前記蓋部に連続した開封部と、前記内板の外面に糊付けされた糊付け部とを有し、前記開封部は開封用破断線によって前記糊付け部と区切られ、前記開封部には、開封時に使用者が指を当てる指掛け部が設けられ、前記指掛け部には、使用者の指に対する滑り止め用の凹凸が設けられ、使用者が、前記指掛け部に当てた指を前記蓋部の方向に移動させる操作を行うと、前記開封部が前記内板の外面に沿って面方向に摺動して前記開封用破断線が破断し、前記蓋部が開封される包装箱である。
【０００８】
前記指掛け部の前記滑り止め用の凹凸は、透孔又は切り込み線により設けることが好ましい。
【０００９】
前記開封用破断線は、前記蓋片に連続する側の端部が幅広で反対側の端部が幅狭な等脚台形状で、当該幅狭な端部が前記糊付け部の方向に膨出した形状に設けられ、前記糊付け部の方向に膨出した部分の内側に前記滑り止め用の凹凸が設けられている。
【００１０】
前記箱体形成片は、互いに平行に連接され、組み立て状態で前記胴部を形成する複数の側面板を有し、前記複数の側面板の中の１つである第一側面板の、連接方向に対して直角方向の端部に、蓋片が延設され、前記蓋片の延出方向の端部に前記外板が延設され、組み立て状態で、前記蓋片が前記蓋部となり、前記第一側面板が前記第一の側面となり、前記複数の側面板の中の一側面板が前記内板となり、当該内板となる一側面板の外面に前記外板が重なって前記第二の側面が形成される構成にしてもよい。
【００１１】
あるいは、前記箱体形成片は、互いに平行に連接され、組み立て状態で前記胴部を形成する複数の側面板を有し、前記複数の側面板の中の１つである第一側面板の、連接方向に対して直角方向の端部に、第一蓋片が延設され、前記複数の側面板の中の一側面板の、連接方向に対して直角方向の端部に、第二蓋片が延設され、前記複数の側面板の連接方向の端部に、前記内板が延設され、組み立て状態で、前記第一蓋片及び第二蓋片が重なって互いに糊付けされて前記蓋部となり、前記第一側面板が前記第一の側面となり、前記第二蓋片が延設された一側面板が前記外板となり、当該第二側面板の内面に前記内板が重なって前記第二の側面が形成される構成にしてもよい。
【考案の効果】
【００１２】
本考案の包装箱は、使用者が子供や高齢者でも、シールエンド方式の蓋部を１アクションで簡単に開封することができる。
【図面の簡単な説明】
【００１３】
【図１】本考案の包装箱の第一の実施形態の組み立て状態を示す図であって、蓋部が見える角度の斜視図（ａ）、底部が見える角度の斜視図（ｂ）である。
【図２】第一の実施形態の包装箱の箱体形成片を表面側から見た展開図である。
【図３】第一の実施形態の包装箱の組み立て工程を示す底面図（ａ）、（ｂ）、（ｃ）である。
【図４】第一の実施形態の包装箱の組み立て工程を示す斜視図（ａ）、（ｂ）である。
【図５】第一の実施形態の包装箱を開封するときの動作を示す斜視図（ａ）、（ｂ）である。
【図６】第一の実施形態の包装箱を開封した後、表示カードを切り離した状態を示す斜視図（ａ）、表示カードを切り離さずに再封した状態を示す斜視図（ｂ）である。
【図７】第一の実施形態の包装箱を開封した後、底部を解体するときの動作を示す図であって、底部及び胴部の動きを示す底面図（ａ）、底部側のサイドフラップ及び胴部の動きを示す底面図（ｂ）である。
【図８】本考案の包装箱の第二の実施形態の組み立て状態を示す斜視図である。
【図９】第二の実施形態の包装箱の箱体形成片を表面側から見た展開図である。
【図１０】第二の実施形態の包装箱の組み立て工程を示す斜視図（ａ）、（ｂ）である。
【図１１】第二の実施形態の包装箱を開封するときの動作を示す斜視図（ａ）、（ｂ）である。
【図１２】第二の実施形態の包装箱を開封した状態を示す斜視図である。
【考案を実施するための形態】
【００１４】
以下、本考案の包装箱の第一の実施形態について、図１〜図７に基づいて説明する。この実施形態の包装箱１０は、図１に示すように、４つの側面を有した角筒状の胴部１２と、胴部１２の開口を塞ぐ蓋部１４及び底部１６とを備えた略直方体の箱体であり、厚紙等で製作された一枚の箱体形成片１８を組み立てることによって形成される。
【００１５】
箱体形成片１８は、図２に示すように、互いに平行に連接された４つの側面板２０，２２，２４，２６を有している。側面板２０，２２，２４，２６は、連接方向と直交する幅方向の長さが同じであり、連接方向の長さは、側面板２０，２４が長くて互いにほぼ等しく、側面板２２，２６が短くて互いにほぼ等しい。側面板２０側の端部には、組み立て状態で側面板２６の端部の裏面に糊付けされる糊付け片２８が設けられている。糊付け片２８及び４つの側面板２０，２２，２４，２６は、各々折罫線３０，３２，３４，３６で区切られている。以下、側面板２０を第一側面板２０と称し、側面板２４を内板２４と称する。
【００１６】
第一側面板２０の、連接方向に対して直角方向の一端部には、略矩形の蓋片３８が延設され、折罫線４０で第一側面板２０と区切られている。蓋片３８は、組み立てた状態で蓋部１４になる部分で、蓋片３８の延出方向長さは、側面板２２の連接方向長さとほぼ同じである。
【００１７】
蓋片３８の、折罫線４０と反対側の端部には、略矩形の外板４２が延設され、折罫線４４で蓋片３８と区切られている。外板４２は、蓋片３８に連続する開封部４６と、蓋片３８とは不連続な部分である糊付け部４８とを有している。開封部４６は、蓋片３８に連続する側の端部が幅広で反対側の端部が幅狭な等脚台形状で、かつ、幅狭な端部が円弧状に膨出した形状になるように、開封用破断線５０によって糊付け部４８と区切られている。開封用破断線５０は、切り込み部と短いつなぎ部とが連続した直線及び曲線で構成されている。開封部４６の円弧状に膨出した部分の内側は、開封時に使用者が指を当てる指掛け部５２であり、指掛け部５２には、使用者の指に対する滑り止め用の凹凸が、Ｖ字状の切り込み線５２ａにより設けられている。切り込み線５２ａは、Ｖ字状の頂部が折罫線４４の側に向くように設けられ、指を移動させる方向を示している。糊付け部４８は、組み立て状態で、内板２４の外面に糊付けされる部分である。
【００１８】
また、第一側面板２０の他端部には、蓋片３８とほぼ同形の外側底片５４が延設され、折罫線５６で第一側面板２０と区切られている。
【００１９】
側面板２２の、第一側面板２０の折罫線４０に連続する端部には、台形状のサイドフラップ５８が延設され、折罫線６０で側面板２２と区切られている。側面板２２の他端部には、台形状のサイドフラップ６２が延設され、折罫線６４で側面板２２と区切られている。サイドフラップ６２の２つの先端角部のうち、側面板２４から遠い方の先端角部は、折罫線６６ａで斜めに区切られて略三角形の折り曲げ部６６になっている。折罫線６６ａは、例えば、所定長さの切り込み線等で形成されている。
【００２０】
内板２４の、側面板２２の折罫線６０に連続する端辺６８の中央部には、円弧状の切り欠き６８ａが設けられている。内板２４の他端部には、外側底片５４より僅かに小さい内側底片７０が延設され、破断線７２で内板２４と区切られている。
【００２１】
側面板２２及び内板２４の境界部の、破断線７２に近い位置には、押圧位置表示７４が印刷されている。押圧位置表示７４は、例えば図２に示すように、「PUSH」の文字とＵ字状の記号とを組み合わせた図柄等である。押圧位置表示７４については後で説明する。
【００２２】
側面板２６の、内板２４の端辺６８に連続する端部には、台形状のサイドフラップ７６が延設され、折罫線７８で側面板２６と区切られている。側面板２６の他端部には、台形状のサイドフラップ８０が延設され、折罫線８２で側面板２６と区切られている。サイドフラップ８０の２つの先端角部のうち、内板２４から遠い方の先端角部は、折罫線８４ａで斜めに区切られて略三角形の折り曲げ部８４になっている。折罫線８４ａは、例えば、所定長さの切り込み等で形成されている。
【００２３】
また、側面板２６の中央部には、折罫線３６に対向する端辺８８とコの字状の破断線８６とで囲まれた第一の切り離し部２６ａが設けられている。第一の切り離し部２６ａの表面には、被収容物に関する情報（例えば、「ＡＢＣ」の文字等）が表示され、端辺８８側の端部のほぼ中央に、小さい切り欠き８８ａが設けられている。
【００２４】
糊付け片２８の中央部には、折罫線３０と対向する端辺とコの字状の破断線９０とで囲まれた第二の切り離し部２８ａが設けられている。第二の切り離し部２６ａは、組み立て状態で、第一の切り離し部２６ａの内側に重なって収まり、糊付けされる部分である。
【００２５】
次に、包装箱１０の組み立て方法の一例を説明する。ここで、箱体形成片１８の表面が凸になる折り方を正折り、そして裏面が凸になる折り方を逆折りと称する。
【００２６】
まず、折罫線３０を正折して糊付け片２８を第一側面板２０に重ね、糊付け片２８の第二の切り離し部２８ａの表面に糊９２を塗布し、糊付け片２８のその他の部分（第二の切り離し部２８ａ以外の２箇所）の表面に糊９４を塗布する。そして、折罫線３４を正折りして、第二の切り離し部２８ａを側面板２６の第一の切り離し部２６ａの裏面に糊付けし、糊付け片２８のその他の部分を側面板２６のその他の部分の裏面に糊付けする。箱体形成片１８は、この折り畳まれた状態で出荷される。
【００２７】
次に商品を包装する工場等において、折罫線３０，３２，３４，３６を各々９０度に正折りし、四角筒状の胴部１２を形成する。その後、胴部１２の一端部を塞ぐ底部１６を設けるため、図３（ａ）、（ｂ）、（ｃ）に順に示すように、折罫線６４，８２でサイドフラップ６２，８０を各々９０度に正折りし、破断線７２で内側底片７０を９０度に正折りする。その後、外側底片５４の裏面の中央部に糊９６を塗布し、折罫線５６で外側底片５４を９０度に正折りし、外側底片５４を内側底片７０の表面に糊付し、外側底片５４と内側底片７０が一体になった底部１６が形成される。これで、図４（ａ）に示すように、胴部１２の一端部が閉鎖された状態になるので、開放している他端部から商品等を入れる。なお、図４（ａ）では、側面板２６の表面に表示された「ＡＢＣ」の文字を省略してある。
【００２８】
商品等を入れた後、胴部１２の他端部を塞ぐ蓋部１４を設けるため、折罫線６０，７８でサイドフラップ５８，７６を各々９０度に正折りし、外板４２の糊付け部４８に糊９８を塗布する。そして、折罫線４０で蓋片３８を９０度に正折りし、折罫線４４で外板４２を９０度に正折りし、外板４２を内板２４の表面に綺麗に重ね、糊付け部４８を内板２４に糊付けすると、蓋片３８で成る蓋部１４により、胴部１２の他端部も閉鎖される。これで商品の包装作業が終了して図１（ａ）、（ｂ）に示す組み立て状態となり、工場から出荷され商店等で販売される。なお、組み立ての手順は、先に蓋部１４を設け、商品を入れた後で底部１６を設けるようにしてもよい。
【００２９】
包装箱１０の場合、組み立て状態で、胴部１２の開口を塞ぐ蓋部１４は蓋片３８である。また、胴部１２が有する複数の側面の中の、蓋部１４の基端部が連続するの第一の側面は、蓋片１４の基端部が連続する第一側面板２０である。また、胴部１２が有する複数の側面の中の、蓋部１４の先端部が連続するとともに第一の側面に対向する第二の側面は、外板４２と内板２４（側面板２４）とが重なって一体に糊付けされた面である。
【００３０】
商品を購入した使用者は、蓋部１４を開封して商品の出し入れを行う。蓋部１４を開封するときは、図５（ａ）に示すように、開封部４６の指掛け部５２に指Ｙｕを軽く押し当てて、指Ｙｕを蓋部１４の方向に移動させる操作を行う。これにより、開封部４６が内板２４の外面に沿って面方向に摺動し、図５（ｂ）に示すように、開封用破断線５０のつなぎ部が破断し、蓋部１４が開閉可能になる。
【００３１】
この開封の操作は非常に簡単であり、上述した特許文献１ように、「指で引き代を指で引っ張り出し、摘まんで引く」という面倒な操作は不要である。特に、この包装箱１０の場合、開封用破断線５０は、開封部４６の形状を、蓋片３８に連続する側の端部が幅広で反対側の端部が幅狭な等脚台形状にするとともに、幅狭な端部が円弧状に膨出した内側に指掛け部５２が配置されるように設けてあるので、指Ｙｕを蓋部１４の方向に移動させたとき、さほど強い力を加えなくても、開封用破断線４６の全体を同時に破断させることができる。また、指掛け部５２には、切り込み線５２ａから成る凹凸が設けられているので、指Ｙｕを移動させたとき、指Ｙｕが指掛け部５２の表面にしっかり密着して滑りにくい。したがって、使用者が子供や高齢者でも、蓋部１４を１アクションで簡単に開封することができる。
【００３２】
蓋部１４を開封した後、図６（ａ）に示すように、側面板２６の第一の切り離し部２６ａを胴部１２から分離させ、便利な表示カードＣａとして使用することができる。この場合、使用者は、第一の切り離し部２６ａの端部に設けられた切り欠き８８ａに指を掛け、第一の切り離し部２６ａを引き上げて破断線８６を破断させ、側面板２６から分離させる操作を行う。このとき、第一の切り離し部２６ａの裏面に糊付けされた第二の切り離し部２８ａも一体に引き上がられ、破断線９０が破断して糊付け片２８から分離する。したがって、表示カードＣａは、第一の切り離し部２６ａに第二の切り離し部２８ａが糊付けされた２重構造になるので、破損したり折れ曲がったりしにくいものになる。
【００３３】
一方、表示カードＣａを切り離さず、蓋部１４を再封して使用するときは、サイドフラップ５８，７６を９０度に正折りし、蓋片３８を９０度に正折りし、開封部４６をサイドフラップ５８，７６と内板２４との隙間に差し込んで係合させる。これで胴部１２の端部が閉鎖され、図６（ｂ）に示す再封状態になる。その後、再び蓋部１４を開くときは、内板２４の端辺６８に設けられた切り欠き６８ａから露出する開封部４６に指を掛け、開封部４６と蓋片３８を引き上げることによって、容易に蓋部１４を開くことができる。
【００３４】
包装箱１０を廃棄するときは、折り畳んで容積を小さくするため、底部１６を解体する。まず、胴部１２を片手で把持し、把持している手の親指等で、押圧位置表示７４の部位（側面板２２及び内板２４が交差する角部）を内向きに押し込む。すると、底部１６は、図７（ａ）に示すように、胴部１２が変形して破断線７２が破断することにより、解体される。底部１６の内側にあるサイドフラップ６２は、押圧位置表示７４の部位が押し込まれると、図７（ｂ）に示すように、折り曲げ部６６が内板２４に対向する第一側面板２０の内面にぶつかった後、自動的に折罫線６６ａで正折りされる。折り曲げ部６６は、表面側に底部１６があるので、底部１６と反対側に屈曲する。
【００３５】
このように、使用者が押圧位置表示７４の部位を押し込むと、胴部１２が変形する過程で、折り曲げ部６６が自動的に屈曲するので、サイドフラップ６２は、胴部１２が変形するのを妨げる障害物にならない。したがって、破断線７２を円滑に破断させることができ、底部１６を１アクションで簡単に解体することができる。サイドフラップ８０については、内板２４側の先端角部が切離した破断線７２の部分から外に突出することができるので、特に障害にはならない。
【００３６】
使用者は、底部１６を解体した後、蓋部１４も開いて箱体を薄く折り畳み、容積を小さくした状態で廃棄する。
【００３７】
なお、包装箱１０は、サイドフラップ８０にも折り曲げ部８４及び折罫線８４ａが設けられているので、底部１６の解体は、押圧位置表示７４の部位（側面板２２及び内板２４が交差する角部）ではなく、内板２４及び側面板２６が交差する角部を内向きに押し込んでも、同様に行うことができる。例えば、包装箱１０に収容された商品を何回も購入している使用者は、包装箱１０の底部１６の解体操作を何回も経験することによって、「胴部１２を、いずれか一方の対角線の向きに押圧して変形させれば解体できる」ということが分かってくるので、押圧位置表示７４をいちいち確認せずに開封することができる。
【００３８】
この場合、内板２４及び側面板２６が交差する角部に、２つ目の押圧位置表示を追加してもよい。ただし、、押圧位置表示が２箇所にあると、使用者は「２箇所を同時に押圧しなければ開封できない」と誤解されるおそれがあるので、いずれか一方を押圧操作するように表示する。
【００３９】
以上説明したように、包装箱１０は、使用者が子供や高齢者でも、シールエンド方式の蓋部１４を１アクションで簡単に開封することができ、底部１６も１アクションで簡単に解体することができる。また、胴部１２の一部を切離することによって、便利な表示カードＣａを得ることができる。
【００４０】
次に、本考案の包装箱の第二の実施形態について、図８〜図１２に基づいて説明する。この実施形態の包装箱１００は、図８に示すように、４つの側面を有した角筒状の胴部１０２と、胴部１０２の開口を塞ぐ蓋部１０４及び蓋部１０６とを備えた略直方体の箱体であり、厚紙等で製作された一枚の箱体形成片１０８を組み立てることによって形成される。
【００４１】
箱体形成片１０８は、図９に示すように、互いに平行に連接された４つの側面板１１０，１１２，１１４，１１６を有している。側面板１１０，１１２，１１４，１１６は、連接方向と直交する幅方向の長さが同じであり、連接方向の長さは、側面板１１０，１１４が長くて互いにほぼ等しく、側面板１１２，１１６が短くて互いにほぼ等しい。側面板１１６側の端部には、組み立て状態で側面板１１０の裏面に重なって糊付けされる略四角形の内板１１８が設けられている。内板１１８の大きさは、側面板１１０よりも僅かに小さい。４つの側面板１１０，１１２，１１４，１１６及び内板１１８は、各々折罫線１２０，１２２，１２４，１２６で区切られている。以下、側面板１１０を外板１１０と称し、側面板１１４を第一側面板１１４と称する。
【００４２】
外板１１０の、連接方向に対して直角方向の一端部には、略矩形の第二蓋片１２８が延設され、折罫線１３０で外板１１０と区切られている。第二蓋片１２８は、組み立てた状態で蓋部１０４になる部分で、第二蓋片１２８の延出方向長さは、側面板１１２の連接方向長さとほぼ同じか、又は僅かに短い。外板１１０の他端部には、第二蓋片１２８とほぼ同形の外側底片１３２が延設され、折罫線１３４で外板１１０と区切られている。
【００４３】
外板１１０は、第二蓋片１２８に連続する開封部１３６と、第二蓋片１２８とは不連続な部分である糊付け部１３８とを有している。開封部１３６は、第二蓋片１２８に連続する側の端部が幅広で反対側の端部が幅狭な等脚台形状で、この幅狭な端部が円弧状に膨出した形状になるように、開封用破断線１４０によって糊付け部１３８と区切られている。開封部１３６の円弧状に膨出した部分の内側は、開封時に使用者が指を当てる指掛け部１４２であり、指掛け部１４２には、使用者の指に対する滑り止め用の凹凸が、二等辺三角形状の透孔１４２ａにより設けられている。透孔１４２ａは、二等辺三角形状の頂部が折罫線１３０の側に向くように設けられ、指を移動させる方向を示している。糊付け部１３８は、組み立て状態で、内板１１８の外面に糊付けされる部分である。
【００４４】
側面板１１２の、外板１１０の折罫線１３０に連続する端部には、台形状のサイドフラップ１４４が延設され、折罫線１４６で側面板１１２と区切られている。側面板１１２の他端部には、台形状のサイドフラップ１４８が延設され、折罫線１５０で側面板１１２と区切られている。サイドフラップ１４８の２つの先端角部のうち、第一側面板１１４から遠い方の先端角部は、折罫線１５２ａで斜めに区切られて略三角形の折り曲げ部１５２になっている。折罫線１５２ａは、例えば、所定長さの切り込み線等で形成されている。
【００４５】
第一側面板１１４の、側面板１１２の折罫線１４６に連続する端部には、第二蓋片１２８より僅かに小さい第一蓋片１５４が延設され、折罫線１５６で第一側面板１１４と区切られている。第一側面板１１４の他端部には、外側底片１３２より僅かに小さい内側底片１５８が延設され、破断線１６０で第一側面板１１４と区切られている。
【００４６】
側面板１１２及び第一側面板１１４の境界部の、破断線１６０に近い位置には、押圧位置表示１６２が印刷されている。押圧位置表示１６２は、例えば図９に示すように、「PUSH」の文字とＵ字状の記号とを組み合わせた図柄等である。
【００４７】
側面板１１６の、第一側面板１１４の折罫線１５６に連続する端部には、台形状のサイドフラップ１６４が延設され、折罫線１６６で側面板１１６と区切られている。側面板１１６の他端部には、台形状のサイドフラップ１６８が延設され、折罫線１７０で側面板１１６と区切られている。サイドフラップ１６８の２つの先端角部のうち、第一側面板１１４から遠い方の先端角部は、折罫線１７２ａで斜めに区切られて略三角形の折り曲げ部１７２になっている。折罫線１７２ａは、例えば、所定長さの切り込み等で形成されている。
【００４８】
内板１１８の、側面板１１６の折罫線１６６と連続する端辺には、円弧状の切り欠き１７４が設けられている。
【００４９】
次に、包装箱１００の組み立て方法の一例を説明する。ここで、箱体形成片１０８の表面が凸になる折り方を正折り、そして裏面が凸になる折り方を逆折りと称する。
【００５０】
まず、折罫線１２６を正折して内板１１８を側面板１１６に重ね、内板１１８の表面（切り欠き１７４の付近を除く部分）に、糊１７６を塗布する。そして、折罫線１２２を正折りして、内板１１８を外板１１０の糊付け部１３８の裏面に糊付けする。箱体形成片１０８は、この折り畳まれた状態で出荷される。
【００５１】
次に商品を包装する工場等において、折罫線１２０，１２２，１２４，１２６を各々９０度に正折りし、四角筒状の胴部１０２を形成する。その後、胴部１０２の一端部を塞ぐ底部１０６を設けるため、折罫線１５０，１７０でサイドフラップ１４８，１６８を各々９０度に正折りし、破断線１６０で内側底片１５８を９０度に正折りする。その後、外側底片１３２の裏面の中央部に糊を塗布し、折罫線１３４で外側底片１３２を９０度に正折りし、外側底片１３２を内側底片１５８の表面に糊付し、外側底片１３２と内側底片１５８が一体になった底部１０６が形成される。これで、図１０（ａ）に示すように、胴部１０２の一端部が閉鎖された状態になるので、開放している他端部から商品等を入れる。
【００５２】
商品等を入れた後、胴部１０２の他端部を塞ぐ蓋部１０４を設けるため、折罫線１４６，１６６でサイドフラップ１４４，１６４を各々９０度に正折りし、折罫線１５６で第一蓋片１５４を正折りする。その後、第二蓋片１２８の裏面の中央部に糊１７８を塗布し、折罫線１３０で第二蓋片１２８を９０度に正折りし、第二蓋片１２８を第一蓋片１５４の表面に糊付けすると、第一蓋片１５４と第二蓋片１２８が一体になった蓋部１０４が形成され、胴部１０２の他端部も閉鎖される。これで商品の包装作業が終了して図８に示す組み立て状態となり、工場から出荷され商店等で販売される。なお、組み立ての手順は、先に蓋部１０４を設け、商品を入れた後で底部１０６を設けるようにしてもよい。
【００５３】
包装箱１００の場合、組み立て状態で、胴部１０２の開口を塞ぐ蓋部１０４は、第一蓋片１５４と第二蓋片１２８が一体に糊付けされた部分である。また、胴部１０２が有する複数の側面の中の、蓋部１０４の基端部が連続するの第一の側面は、第一蓋片１５４の基端部が連続する第一側面板１１４である。また、胴部１０２が有する複数の側面の中の、蓋部１０４の先端部が連続するとともに第一の側面に対向する第二の側面は、外板１１０（側面板１１０）と内板１１８とが重なって一体に糊付けされた面である
商品を購入した使用者は、蓋部１０４を開封して商品の出し入れを行う。蓋部１０４を開封するときは、図１１（ａ）に示すように、開封部１３６の指掛け部１４２に指Ｙｕを軽く押し当てて、指Ｙｕを蓋部１０４の方向に移動させる操作を行う。これにより、開封部１０４が内板１１８の外面に沿って面方向に摺動し、図１１（ｂ）に示すように、開封用破断線１４０のつなぎ部が破断し、蓋部１０４が開閉可能になる。そして、蓋部１０４を大きく開くと、図１２に示す開封状態になる。
【００５４】
この開封の操作は非常に簡単であり、上述した特許文献１ように「指で引き代を引っ張り出し、摘まんで引く」という面倒な操作は不要である。特に、この包装箱１００の場合、開封用破断線１４０は、開封部１３６の形状を、蓋片１０４に連続する側の端部が幅広で反対側の端部が幅狭な等脚台形状にするとともに、幅狭な端部が円弧状に膨出した内側に指掛け部１４２が配置されるように設けてあるので、指Ｙｕを蓋部１０４の方向に移動させたとき、さほど強い力を加えなくても、開封用破断線１４０の全体を同時に破断させることができる。さらに、指掛け部１４２には、透孔１４２ａから成る凹凸が設けられているので、指Ｙｕを移動させたとき、指Ｙｕが指掛け部１４２の表面にしっかり密着して滑りにくい。したがって、使用者が子供や高齢者でも、蓋部１０４を１アクションで簡単に開封することができる。
【００５５】
開封した蓋部１０４を再封するときは、サイドフラップ１４４，１６４を９０度に正折りし、蓋部１０４を折罫線１５６で９０度に正折りし、開封部１３６をサイドフラップ１４４，１６４と内板１１８との隙間に差し込んで係合させる。これで胴部１０２の端部が閉鎖され、再封状態になる。その後、再び蓋部１０４を開くときは、内板１１８の端辺に設けられた切り欠き１７４から露出する開封部１３６に指を掛け、開封部１３６と蓋部１０４を引き上げることによって、容易に蓋部１０４を開くことができる。
【００５６】
包装箱１００を廃棄するときは、折り畳んで容積を小さくするため、底部１０６を解体する。底部１０６を解体する操作は、胴部１０２を片手で把持し、把持している手の親指等で、押圧位置表示１６２の部位（側面板１１２及び第一側面板１１４が交差する角部）を内向きに押し込む。この操作により、上記の包装箱１０の場合と同様に、底部１０６を１アクションで簡単に解体することができる。その後、蓋部１４も開いて箱体を薄く折り畳み、容積を小さくした状態で廃棄する。
【００５７】
以上説明したように、包装箱１００は、使用者が子供や高齢者でも、シールエンド方式の蓋部１０４を１アクションで簡単に開封することができ、底部１０６も１アクションで簡単に解体することができる。
【００５８】
なお、本考案は、上記実施形態に限定されるものではない。例えば、胴部の第二の側面を形成する内板及び外板の形状は、上述した開封時の動作が可能な範囲で適宜変更することができる。包装箱１０は、外板４２の糊付け部４８の外形を比較的小さくすることによって、箱体形成片１８がより安価に製作できるようにしているが、例えば、糊付け部４８の外形大きくして、組み立て状態で内板２４の広い範囲に重なるようにすれば、胴部１２の第二の側面を補強することができる、また、包装箱１００は、胴部１０２の第二の側面を補強するため、内板１１８の外形を大きくして、組み立て状態で外板１１０の広い範囲に重なるようにしているが、例えば、箱体形成片１８がより安価に製作できるように、糊付け部１３８と重なる部分の面積を小さくしてもよい。反対に、内箱１１８の、折罫線１２６からの延出方向長さをもっと長くして面積を大きくし、組み立て状態で内板１１８が外板１１０以外の側面板にも重なるようにすれば、胴部１２が有する他の側面（第二の側面以外の側面）も補強することができる。
【００５９】
開封部の指掛け部の滑り止め用の凹凸は、切り込み線又は透孔により設ける以外に、例えば、エンボスやデボス加工により設けてもよい。いずれにしても、１枚のブランクシートから箱体形成片を打ち抜く工程を利用して、容易かつ安価に設けることができる。その他、さらに滑り止めの効果を高くするため、指掛け部の表面にキズをつけたり滑り止め材を設けたりしてもよい。
【００６０】
箱体形成片に設けられる複数の側面板の数は４つ以上でもよく、角筒状の胴部が５つ以上の側面から形成されるようにしてもよい。また、胴部から表示カードを切り離すための構成や、底部を解体するための構成は、必要に応じて省略してもよい。
【符号の説明】
【００６１】
１０，１００  包装箱
１２，１０２  胴部
１４，１０４  蓋部
１６，１０６  底部
１８  箱体形成片
２０，１１４  第一側面板
２２，２６，１１２，１１６  側面板
２４  内板（側面板）
３８  蓋片（蓋部）
４２  外板
４６，１３６  開封部
４８，１３８  糊付け部
５０，１４０  開封用破断線
５２，１４２  指掛け部
５２ａ  切り込み線（滑り止め用の凹凸）
１１０  外板（側面板）
１１８  内板
１２８  第二蓋片（蓋部）
１５４  第一蓋片（蓋部）
１４２ａ  透孔
【図１】
0003206273.tif 000003
【図２】
0003206273.tif 000004
【図３】
0003206273.tif 000005
【図４】
0003206273.tif 000006
【図５】
0003206273.tif 000007
【図６】
0003206273.tif 000008
【図７】
0003206273.tif 000009
【図８】
0003206273.tif 000010
【図９】
0003206273.tif 000011
【図１０】
0003206273.tif 000012
【図１１】
0003206273.tif 000013
【図１２】
0003206273.tif 000014